(57)【要約】【課題】良好な画像を取得することができる撮像装置を提供する。【解決手段】電流制御型の照明ユニット２２を用いて撮影可能な撮像装置であって、被写体からの光を撮像する撮像部１２と、前記撮像部による撮影を行う前の撮影準備動作を指示する第１指示ＳＷ２の入力に応じて、前記撮影準備動作と前記照明ユニットの点灯を伴う前記撮像部による撮影動作とを開始せしめ、撮影画像の記録動作を指示する第２指示ＳＷ３が入力された場合に、前記第２指示の入力及びその入力前において前記撮像部で取得された複数の画像データを記録媒体１８に記録せしめる記録制御部１０とを備える撮像装置であって、所定の判定条件に基づいて、前記照明ユニットの点灯の可否を判定する判定部１０を備え、前記記録制御部は、前記判定部により前記照明ユニットの点灯が否と判定された場合に、前記第１指示の入力に応じた前記照明ユニットの点灯を伴う前記撮影動作を禁止せしめる。【選択図】図１
2012185260.tif 000002
【特許請求の範囲】
【請求項１】
電流制御型の照明ユニットを用いて撮影可能な撮像装置であって、
被写体からの光を撮像する撮像部と、
前記撮像部による撮影を行う前の撮影準備動作を指示する第１指示の入力に応じて、前記撮影準備動作と前記照明ユニットの点灯を伴う前記撮像部による撮影動作とを開始せしめ、撮影画像の記録動作を指示する第２指示が入力された場合に、前記第２指示の入力およびその入力前において前記撮像部で取得された複数の画像データを記録媒体に記録せしめる記録制御部と
を備える撮像装置であって、
所定の判定条件に基づいて、前記照明ユニットの点灯の可否を判定する判定部を備え、
前記記録制御部は、前記判定部により前記照明ユニットの点灯が否と判定された場合に、前記第１指示の入力に応じた前記照明ユニットの点灯を伴う前記撮影動作を禁止せしめることを特徴とする撮像装置。
【請求項２】
請求項１に記載の撮像装置において、
前記所定の判定条件は、前記照明ユニットに関する温度情報を含み、
前記判定部は、前記温度情報に基づく温度が所定の閾値を超えた場合に、前記照明ユニットの点灯が否であると判定することを特徴とする撮像装置。
【請求項３】
請求項１または２記載の撮像装置であって、
前記撮像装置は、前記被写体に対して閃光照明光を照射する閃光光源を用いて撮影可能であり、
前記記録制御部は、前記判定部により前記照明ユニットの点灯が否と判定された際に前記第２指示が入力された場合には、前記第２指示の入力に応じて前記閃光光源から前記被写体に対して前記閃光照明光を照射しつつ前記撮像部で取得した画像データを前記記録媒体に記録せしめることを特徴とする撮像装置。
【請求項４】
請求項１または２記載の撮像装置であって、
前記撮像装置は、前記被写体に対して閃光照明光を照射する閃光光源を用いて撮影可能であり、
前記閃光光源は、前記撮像部による撮像タイミングと同期して間歇的に前記閃光照明光を照射するＦＰ発光を実行可能であり、
前記記録制御部は、前記判定部により前記照明ユニットの点灯が否と判定された際に前記第１指示が入力された場合には、前記撮影準備動作と前記閃光光源の前記ＦＰ発光を伴う前記撮像部による撮影動作とを開始せしめ、前記第２指示が入力された場合には、前記第２指示の入力およびその入力前において前記撮像部で取得された複数の画像データを前記記録媒体に記録せしめることを特徴とする撮像装置。
【請求項５】
請求項１〜４の何れか一項に記載の撮像装置において、
前記判定部により前記照明ユニットの点灯が否と判定された場合、その旨を報知する報知部を備えることを特徴とする撮像装置。
【請求項６】
請求項１〜５の何れか一項に記載の撮像装置において、
前記記録制御部は、前記第２指示が入力された場合に、前記第２指示の入力前後において前記撮像部で取得された複数の画像データを記録媒体に記録せしめることを特徴とする撮像装置。
【発明の詳細な説明】
【技術分野】
【０００１】
本発明は、被写体を照明する照明ユニットを備えた撮像装置に関するものである。
【背景技術】
【０００２】
従来、ＬＥＤ光源を搭載し、ＬＥＤ光源からの光を被写体に照射した状態で撮影を行うことにより、外光の光量が不足している環境においても良好な画像を取得する電子カメラが存在する（例えば、特許文献１参照）。
【先行技術文献】
【特許文献】
【０００３】
【特許文献１】特開２００２−２０７２３６号公報
【発明の概要】
【発明が解決しようとする課題】
【０００４】
しかし、上述の電子カメラにおいては、所定の時間を超えて被写体にＬＥＤ光を照射し続けると、ＬＥＤ光源の温度が上昇してＬＥＤ光の輝度や色合いが変化し、良好な画像を取得することができなくなるという問題があった。
【０００５】
本発明の目的は、良好な画像を取得することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置（２）は、電流制御型の照明ユニット（２２）を用いて撮影可能な撮像装置であって、被写体からの光を撮像する撮像部（１２）と、前記撮像部による撮影を行う前の撮影準備動作を指示する第１指示（ＳＷ２）の入力に応じて、前記撮影準備動作と前記照明ユニットの点灯を伴う前記撮像部による撮影動作とを開始せしめ、撮影画像の記録動作を指示する第２指示（ＳＷ３）が入力された場合に、前記第２指示の入力及びその入力前において前記撮像部で取得された複数の画像データを記録媒体（１８）に記録せしめる記録制御部（１０）とを備える撮像装置であって、所定の判定条件に基づいて、前記照明ユニットの点灯の可否を判定する判定部（１０）を備え、前記記録制御部は、前記判定部により前記照明ユニットの点灯が否と判定された場合に、前記第１指示の入力に応じた前記照明ユニットの点灯を伴う前記撮影動作を禁止せしめることを特徴とする。
【発明の効果】
【０００８】
本発明の撮像装置によれば、良好な画像を取得することができる。
【図面の簡単な説明】
【０００９】
【図１】実施の形態に係る電子カメラのシステム構成を示すブロック図である。
【図２】実施の形態に係る電子カメラにおいてＬＥＤ光源を点灯して撮像を行う場合の処理を示すフローチャートである。
【図３】実施の形態に係る電子カメラにおいてＬＥＤ光源を点灯することができない場合の処理を示すフローチャートである。
【図４】実施の形態に係る電子カメラにおいてＬＥＤ光源を点灯することができない場合の処理を示すフローチャートである。
【発明を実施するための形態】
【００１０】
以下、図面を参照して、本発明の実施の形態に係る撮像装置としての電子カメラについて説明する。図１は実施の形態に係る電子カメラ２のシステム構成を示すブロック図である。図１に示すように、電子カメラ２は、マイクロプロセッサ等により構成され電子カメラ２の各部を統括的に制御する制御部１０を備えている。制御部１０には、撮像素子１２、ＬＣＤ表示部１４、バッファメモリ１６、プログラムメモリ１７、メモリカード１８、画像処理部２０、ＬＥＤ光源２２、フラッシュ光源２４、温度センサ２６及び操作部３０が接続されている。
【００１１】
撮像素子１２は、ＣＭＯＳイメージセンサ等により構成され、撮影レンズ（図示せず）を介した被写体からの光を撮像し、制御部１０に対して撮像信号を出力する。ＬＣＤ表示部１４は、電子カメラ２の背面部に配置され、撮像素子１２からの撮像信号に基づくスルー画像等を表示する。バッファメモリ１６は、撮像素子１２から出力された撮像信号に基づく複数フレームの画像データを一時的に記録する。プログラムメモリ１７は、制御部１０が電子カメラ２の各部を統括的に制御し、撮像処理、再生処理、画像選別処理などの各処理を実施するためのプログラムを記憶する。メモリカード１８は、電子カメラ２に設けられたカードスロット（図示せず）に着脱可能に装着される可搬性を有する記憶媒体であり、例えば、ＣＦカード、ＳＤカード、スマートメディア等が用いられる。
【００１２】
画像処理部２０は、撮像素子１２から出力された撮像信号に基づく画像データに対してホワイトバランス調整等の画像処理を行う。ＬＥＤ光源２２は、電流制御型の照明ユニットであり撮像素子１２による撮像時に発光して被写体を照明する。フラッシュ光源２４は、ＬＥＤ光源２２を点灯することができない場合に使用する光源であり、撮像素子１２による撮像時に発光して被写体を照明する。温度センサ２６は、ＬＥＤ光源２２の近傍に配置され、ＬＥＤ光源２２の温度を計測する。
【００１３】
操作部３０は、電子カメラ２の電源をオン／オフする電源スイッチＳＷ１、シャッタボタン（図示せず）を半押し位置まで押下することによりオンする半押しスイッチＳＷ２、シャッタボタンの全押しによりオンする全押しスイッチＳＷ３を備えている。
【００１４】
次に、図２を参照して、実施の形態に係る電子カメラ２における処理について説明する。ここで、電子カメラ２による撮影環境は明るさが十分でなく、撮像時に被写体を照明する必要があるものとする。まず、操作部３０の電源スイッチＳＷ１がオンされると、電子カメラ２は、複数フレームの画像データをプリキャプチャーの画像データとして連続取得するプリキャプチャーモードとして起動する（ステップＳ２）。次に、制御部１０は、撮像素子１２による撮像を開始し、撮像素子１２から所定のフレームレート（例えば３０ｆｐｓ）で読み出した撮像信号に基づきＬＣＤ表示部１４にスルー画像の表示を行う。
【００１５】
次に、シャッタボタンが半押し位置まで押下され、半押しスイッチＳＷ２がオンされると（ステップＳ３）、制御部１０は、焦点調整動作（ＡＦ）を開始する（ステップＳ４）。例えば、撮像素子１２を構成するＣＭＯＳイメージセンサに瞳分割位相差方式による焦点検出画素が組み込まれている場合、制御部１０は、撮像素子１２から読出された焦点検出信号を用いて瞳分割による焦点検出処理によりデフォーカス量を求め、図示しない撮影レンズの合焦を行なう。
【００１６】
焦点調整動作（ＡＦ）が完了すると、制御部１０は、ＬＥＤ光源２２が点灯可能な状態であるか否かの判定を行う（ステップＳ５）。例えば、制御部１０は、温度センサ２６によりＬＥＤ光源２２の温度を計測し、計測した温度が所定の閾値以下の温度であった場合、ＬＥＤ光源２２が点灯可能な状態であると判定し、計測した温度が所定の閾値よりも高い温度であった場合、ＬＥＤ光源２２が点灯可能な状態でないと判定する。
【００１７】
ＬＥＤ光源２２が点灯可能な状態である場合（ステップＳ５：Ｙｅｓ）、制御部１０は、ＬＥＤ光源２２を点灯し、図示しない照射窓を介してＬＥＤ光を射出する（ステップＳ６）。この射出されたＬＥＤ光により被写体が照明される。なお、ＬＥＤ光源２２が点灯可能な状態でない場合の処理（ステップＳ１６）については後述する。
【００１８】
次に、制御部１０は、露出制御動作（ＡＥ）を開始する（ステップＳ７）。即ち、撮像素子１２から出力される撮像信号に基づいて露出制御動作（ＡＥ）を行い、適正露出が得られるようにシャッター速度および絞り値を確定する。例えば、平均測光方式によって被写体の明るさ（輝度）情報を検出する場合には、スルー画像を構成する信号値を平均して得た値を被写体の輝度情報とし、この被写体の輝度情報に基づいて最適露出値を確定してシャッター速度および絞り値を確定する。
【００１９】
また、制御部１０は、ホワイトバランス制御動作（ＡＷＢ）を開始する（ステップＳ８）。例えば、制御部１０は、撮像素子１２から出力された撮像信号に基づいて光源の色温度を計測し、光源の色温度に基づいてホワイトバランスの調整量を設定する。
【００２０】
露出制御動作（ＡＥ）及びホワイトバランス制御動作（ＡＷＢ）が完了すると、制御部１０は、画像データのプリキャプチャーを開始する（ステップＳ９）。即ち、制御部１０は、撮像素子１２から出力される撮像信号に基づいて複数フレームの画像データをプリキャプチャーの画像データとして連続取得し、取得した複数フレームの画像データをバファメモリ１６に記録する。ここで、バファメモリ１６に記録する複数フレームの画像データの数は、プリキャプチャー設定数として、例えば１０フレームと定められている。従って、制御部１０は、バファメモリ１６に記録された画像データの数が１０フレームに達した場合には、古い画像データから順に消去する。これにより、プリキャプチャーのために使用するバファメモリ１６の容量を節約することができる。
【００２１】
次に、制御部１０は、ＬＥＤ光源２２の点灯継続の可否を判定する（ステップＳ１０）。例えば、制御部１０は、温度センサ２６によりＬＥＤ光源２２の温度を計測し、計測した温度が所定の閾値以下の温度であればＬＥＤ光源２２の点灯を継続できると判定し、計測した温度が所定の閾値よりも高い温度であればＬＥＤ光源２２の点灯を継続できないと判定する。
【００２２】
ＬＥＤ光源２２の点灯を継続できない場合（ステップＳ１０：Ｎｏ）、制御部１０は、ＬＥＤ光源２２を消灯する（ステップＳ１１）。この場合、制御部１０は、バファメモリ１６に記録されているプリキャプチャーにより取得した画像データをメモリカード１８に記録しない。次に、制御部１０は、プログラムメモリ１７に記憶されている、「ＬＥＤ光の照射を継続できません。」等の警告メッセージのデータを読み出し、警告メッセージをＬＣＤ表示部１４に表示して（ステップＳ１２）、一連の処理を終了する。
【００２３】
一方、ＬＥＤ光源２２の点灯を継続できる場合（ステップＳ１０：Ｙｅｓ）、制御部１０は、レリーズボタンが全押し位置まで押下されて全押しスイッチＳＷ３がオンされたか否かの判定を行う（ステップＳ１３）。全押しスイッチＳＷ３がオンされなかった場合（ステップＳ１３：Ｎｏ）、画像データのプリキャプチャーを継続する（ステップＳ９）。
【００２４】
全押しスイッチＳＷ３がオンされた場合（ステップＳ１３：Ｙｅｓ）、制御部１０は、画像データのポストキャプチャーを開始する（ステップＳ１４）。即ち、制御部１０は、撮像素子１２から出力される撮像信号に基づいて全押しスイッチＳＷ３がオンされた時点に撮像された画像データを含む複数フレームの画像データをポストキャプチャーの画像データとして連続取得し、取得した複数フレームの画像データをバファメモリ１６に記録する。ここで、バファメモリ１６に記録する複数フレームの画像データの数は、ポストキャプチャー設定数として、例えば、スイッチＳＷ３がオンされた時点に撮像された画像データを含めて１０フレームと定められている。
【００２５】
次に、制御部１０は、バファメモリ１６に記録された画像データ（即ち、プリキャプチャーにより取得した１０フレームの画像データ及びスイッチＳＷ３がオンされた時点に撮像された画像データを含むポストキャプチャーにより取得した１０フレームの画像データから成る２０フレームの画像データ）を読み出し、所定の評価基準に基づいて各画像データについて評価値の算出を行う。次に、制御部１０は、評価値の高い順に所定枚数（例えば５フレーム）の画像データを記録画像として選別し、選別した画像データをＥｘｉｆ等の所定のファイル形式でメモリカード１８に記録する。次に、制御部１０は、ＬＥＤ光源２２を消灯する（ステップＳ１５）。
【００２６】
次に、図３を参照して、図２のステップＳ５においてＬＥＤ光源２２が点灯可能な状態でないと判定された場合の処理（ステップＳ１６）について説明する。ＬＥＤ光源２２が点灯可能な状態でない場合（ステップＳ５：Ｎｏ）、制御部１０は、ＬＥＤ光源２２の点灯を伴う撮影動作を禁止し、プログラムメモリ１７に記憶されている、「ＬＥＤ光を発光することができません。」等の警告メッセージのデータを読み出し、警告メッセージをＬＣＤ表示部１４に表示する（ステップＳ２１）。
【００２７】
次に、全押しスイッチＳＷ３がオンされると（ステップＳ２２）、制御部１０は、フラッシュ光源２４からフラッシュ光を射出させて、本発光に先立つプリ発光を行う（ステップＳ２３）。フラッシュ光は、電子カメラ２の図示しないフラッシュ窓を介して射出され、射出されたフラッシュ光により被写体が照明される。次に、制御部１０は、撮像素子１２から出力される撮像信号に基づいて露出制御動作（ＡＥ）を行い（ステップＳ２４）、さらに、ホワイトバランス制御動作（ＡＷＢ）を行う（ステップＳ２５）。
【００２８】
次に、制御部１０は、フラッシュ光源２４により本発光を行う（ステップＳ２６）。即ち、再度フラッシュ光源２４からフラッシュ光を射出させてフラッシュ光により被写体の照明を行う。
【００２９】
この本発光により被写体が照明された状態において、制御部１０は、撮像素子１２により静止画像の撮像を行う（ステップＳ２７）。撮像素子１２から出力された撮像信号に基づく画像データは、一旦バファメモリ１６に記憶された後、Ｅｘｉｆ等の所定のファイル形式の画像ファイルとしてメモリカード１８に記録される（ステップＳ２８）。
【００３０】
この実施の形態に係る電子カメラ２によれば、ＬＥＤ光源２２の温度が上昇してＬＥＤ光の輝度や色合いが変化するおそれがある場合、ＬＥＤ光源２２の点灯に代えてフラッシュ光源２４を点灯して撮像を行うため、良好な画像を取得することができる。
【００３１】
なお、上述の実施の形態においては、ＬＥＤ光源２２が点灯可能な状態でない場合において（ステップＳ５：Ｎｏ、ステップＳ１６）、フラッシュ光により被写体を照明して静止画像の撮像を行う場合を例に説明しているが、フラッシュ光の発光タイミングと同期して複数フレームの画像データを連続取得するようにしてもよい。
【００３２】
以下、図４を参照して、ＬＥＤ光源２２が点灯可能な状態でない場合において（ステップＳ５：Ｎｏ）、フラッシュ光の発光タイミングと同期して複数フレームの画像データを連続取得する場合の処理について説明する。まず、ＬＥＤ光源２２が点灯可能な状態でない場合（ステップＳ５：Ｎｏ）、制御部１０は、ＬＥＤ光源２２の点灯を伴う撮影動作を禁止し、プログラムメモリ１７に記憶されている、「ＬＥＤ光を発光することができません。」等の警告メッセージのデータを読み出し、警告メッセージをＬＣＤ表示部１４に表示する（ステップＳ３１）。
【００３３】
次に、制御部１０は、フラッシュ光源２４によるＦＰ発光に先立つプリ発光を行う（ステップＳ３２）。次に、制御部１０は、撮像素子１２から出力される撮像信号に基づいて露出制御動作（ＡＥ）を行い（ステップＳ３３）、さらに、ホワイトバランス制御動作（ＡＷＢ）を行う（ステップＳ３４）。
【００３４】
次に、制御部１０は、フラッシュ光源２４を点滅させてＦＰ発光を開始すると共に、画像データのプリキャプチャーを開始する（ステップＳ３５）。即ち、制御部１０は、所定の時間間隔でフラッシュ光源２４を点滅させると共に、フラッシュ光の発光タイミングと同期して撮像素子１２に撮像を行わせ、複数フレームの画像データをプリキャプチャーの画像データとして連続取得する。そして、制御部１０は、取得した複数フレームの画像データをバファメモリ１６に記録する。
【００３５】
次に、制御部１０は、全押しスイッチＳＷ３がオンされたか否かの判定を行う（ステップＳ３６）。全押しスイッチＳＷ３がオンされなかった場合（ステップＳ３６：Ｎｏ）、ＦＰ発光及び画像データのプリキャプチャーを継続する（ステップＳ３５）。
【００３６】
全押しスイッチＳＷ３がオンされた場合（ステップＳ３６：Ｙｅｓ）、制御部１０は、撮像素子１２から出力される撮像信号に基づく画像データのポストキャプチャーを開始する（ステップＳ３７）。次に、制御部１０は、プリキャプチャーにより取得した画像データとスイッチＳＷ３がオンされた時点に撮像された画像データを含むポストキャプチャーにより取得した画像データをバファメモリ１６から読み出して画像データの選別を行い、選別した画像データをＥｘｉｆ等の所定のファイル形式でメモリカード１８に記録する。次に、制御部１０は、フラッシュ光源２４を消灯してＦＰ発光を中止する（ステップＳ３８）。
【００３７】
また、上述の実施の形態においては、温度センサ２６によりＬＥＤ光源２２の温度を計測することによりＬＥＤ光源２２が点灯可能な状態であるか否かを判定しているが、他の方法によりＬＥＤ光源２２が点灯可能な状態であるか否かを判定してもよい。例えば、タイマを備え、タイマにより電源スイッチＳＷ１がオンされてから半押しスイッチＳＷ２がオンされるまでの時間を計測する。そして、計測した時間の長さが所定の閾値以下の長さであればＬＥＤ光源２２が点灯可能な状態であると判定し、計測した時間の長さが所定の閾値を超える長さであればＬＥＤ光源２２が点灯可能な状態でないと判定するようにしてもよい。また、タイマによりＬＥＤ光源２２が点灯してからプリキャプチャーを開始するまでの時間を計測し、計測した時間の長さに応じてＬＥＤ光源２２の点灯を継続できるか否かを判定するようにしてもよい。
【００３８】
また、上述の実施の形態において、半押しスイッチＳＷ２と全押しスイッチＳＷ３とが略同時にオンされる、いわゆるシャッタボタンの一気押しがなされた場合、ＬＥＤ光源２２が点灯可能な状態であるか否かを判定せずにフラッシュ光を射出して静止画像を撮影するようにしてもよい。また、ＬＥＤ光源２２が点灯可能な状態であるか否かを判定せずにＦＰ発光を行った状態で画像データのプリキャプチャーを行うようにしてもよい。
【００３９】
また、上述の実施の形態においては、電子カメラ２にＬＥＤ光源２２を備え、ＬＥＤ光源２２からの光を被写体に照射した状態で撮像を行う場合を例に説明しているが、電子カメラ２に備える光源は、ＬＥＤ光源２２以外の電流制御型の照明ユニットでもよい。
【００４０】
また、上述の実施の形態においては、撮像素子１２から出力される信号に基づいて焦点調整動作（ＡＦ）及び露出制御動作（ＡＥ）を行っているが、電子カメラ２に焦点調整動作（ＡＦ）専用のセンサや露出制御動作（ＡＥ）専用のセンサを備え、専用のセンサを用いて焦点調整動作（ＡＦ）や露出制御動作（ＡＥ）を行うようにしてもよい。また、光源の色温度を計測する色温度センサを備え、色温度センサで計測した色温度に基づいてホワイトバランスの調整量を設定するようにしてもよい。
【００４１】
また、上述の実施の形態において、全押しスイッチＳＷ３がオンされた場合（ステップＳ１３：Ｙｅｓ、ステップＳ３６：Ｙｅｓ）、スイッチＳＷ３がオンされた時点に撮像された画像データのみを取得し、それ以外のポストキャプチャーの画像データを取得しないようにしてもよい。これにより、照明光量が一定でない場合に取得されることが想定されるポストキャプチャーの画像データをメモリカード１８に記録しないようにすることができる。なお、この場合、メモリカード１８には、スイッチＳＷ３がオンされた時点に撮像された画像データとプリキャプチャーにより取得された画像データの中から選別された画像データ（即ち、照明光量が比較的一定の状態で取得されることが想定される画像データ）のみが記録される。
【００４２】
また、上述の実施の形態においては、半押しスイッチＳＷ２がオンされた後に（ステップＳ３：Ｙｅｓ）ＬＥＤ光源２２が点灯可能な状態であるか否かの判定を行う（ステップＳ５）場合を例に説明しているが、半押しスイッチＳＷ２がオンされる前にＬＥＤ光源２２が点灯可能な状態であるか否かの判定を行うようにしてもよい。
【００４３】
また、上述の実施の形態においては、ＬＥＤ光源２２及びフラッシュ光源２４を電子カメラ２に備える場合を例に説明しているが、ＬＥＤ光源やフラッシュ光源を外部照明装置として電子カメラ２に取り付けて使用するようにしてもよい。
【符号の説明】
【００４４】
２…電子カメラ、１０…制御部、１２…撮像素子、１４…ＬＣＤ表示部、１６…バッファメモリ、１７…プログラムメモリ、１８…メモリカード、２０…画像処理部、２２…ＬＥＤ光源、２４…フラッシュ光源、２６…温度センサ、３０…操作部
【図１】
2012185260.tif 000003
【図２】
2012185260.tif 000004
【図３】
2012185260.tif 000005
【図４】
2012185260.tif 000006